(57)【要約】  【課題】  必要に応じてアクティブタグと同様な機能を持たせることができ、しかも総合的に見てアクティブタグに比べて安価に構成することができる無線ＩＤタグおよびこれを用いた物品の管理方法および管理システムを提供する。  【解決手段】  管理対象物品に装着され、この管理対象物品に固有の第１の識別情報を有する第１のタグ１０と、この第１のタグ１０に着脱自在に構成され、固有の第２の識別情報を外部に無線送信可能に構成された第２のタグ２０とにより、無線ＩＤタグを構成する。管理対象物品３０に第１のタグ１０を装着し、この第１のタグ１０に第２のタグ２０を装着する。このとき、第２のタグ２０は、第１のタグ１０からその第１の識別情報を取得し、第２のタグ２０の第２の識別情報と組にして外部に無線送信する。【選択図】        図３
2006190241.tif 000002
【特許請求の範囲】
【請求項１】
管理対象物品に装着され、この管理対象物品に固有の第１の識別情報を有する第１のタグと、
上記第１のタグに着脱自在に構成され、固有の第２の識別情報を外部に無線送信可能に構成された第２のタグとを有することを特徴とする無線ＩＤタグ。
【請求項２】
上記第２のタグは上記第１のタグに装着されたときに上記第１のタグから上記第１の識別情報を取得し、上記第２の識別情報と組にして外部に無線送信可能に構成されていることを特徴とする請求項１記載の無線ＩＤタグ。
【請求項３】
上記第１のタグがパッシブタグ機能を有することを特徴とする請求項１記載の無線ＩＤタグ。
【請求項４】
上記第１のタグは光学的に読み取り可能に構成された上記第１の識別情報を上記第２のタグが装着される部位の表面にのみ有し、上記第２のタグは上記第１のタグに装着されたときに上記第１の識別情報を読み取るための光学読取装置およびこの光学読取装置から送信される上記第１の識別情報を記憶するためのメモリを有することを特徴とする請求項１記載の無線ＩＤタグ。
【請求項５】
上記第２のタグに着脱自在に構成されたタグ接続装置をさらに有し、上記第１のタグは光学的に読み取り可能に構成された上記第１の識別情報を上記第２のタグが装着される部位の表面にのみ有し、上記タグ接続装置は、上記第２のタグおよび上記タグ接続装置が上記第１のタグに装着されたときに上記第１の識別情報を読み取るための光学読取装置を有し、上記第２のタグは上記光学読取装置から送信される上記第１の識別情報を記憶するためのメモリを有することを特徴とする請求項１記載の無線ＩＤタグ。
【請求項６】
管理対象物品にこの管理対象物品に固有の第１の識別情報を有する第１のタグを装着し、この第１のタグに、その固有の第２の識別情報を外部に無線送信可能に構成された第２のタグを装着し、この第２のタグが上記第１のタグから上記第１の識別情報を取得し、上記第２の識別情報と組にして外部に無線送信することにより対象物品の管理を行うようにしたことを特徴とする物品の管理方法。
【請求項７】
管理対象物品に装着され、この管理対象物品に固有の第１の識別情報を有する第１のタグと、上記第１のタグに着脱自在に構成され、固有の第２の識別情報を外部に無線送信可能に構成された第２のタグとを有する無線ＩＤタグと、
上記第１の識別情報および上記第２の識別情報を受信するための受信装置とを有することを特徴とする物品の管理システム。
【請求項８】
上記第２のタグは上記第１のタグに装着されたときに上記第１のタグから上記第１の識別情報を取得し、上記第２の識別情報と組にして外部に無線送信可能に構成されていることを特徴とする請求項７記載の物品の管理システム。
【発明の詳細な説明】
【技術分野】
【０００１】
この発明は、無線ＩＤタグ、物品の管理方法および物品の管理システムに関し、例えば、図書館の図書や店に陳列する商品の管理に適用して好適なものである。
【背景技術】
【０００２】
近年、物品を管理したり追跡したりするための無線ＩＤタグ（ＲＦＩＤ（Radio Frequency IDentification）タグ）が普及しつつある。無線ＩＤタグには、パッシブタグとアクティブタグとの２種類がある。このうちパッシブタグは、タグリーダからの誘導電力で駆動するもので、寿命が半永久的、小型、安価、使い捨て可能であるという利点を有する反面、読み取り距離が短い（数ｃｍ〜数十ｃｍ）、タグの正確な位置が分かっていないと読めないなどの欠点を有する。一方、アクティブタグは、電池を内蔵し、定期的・自発的にＩＤを発信するもので、読み取り距離を長くできる（数ｍ〜数十ｍ）、見失ったタグを発見できるという利点を有する反面、電池の寿命があるため長期間の使用が困難、小型化に限界がある、比較的高価であり、そのため繰り返し利用を前提とするなどの欠点を有する。
【０００３】
特許文献１には、無線アンテナと半導体集積回路チップとを備え、無線アンテナに外部から受信される無線電波を電源として動作する無線タグであって、その半導体集積回路チップが、不揮発性メモリと、この不揮発性メモリに記憶される情報を送信データとして、無線電波を利用して外部との間でデータ通信を行う第１のデータ通信手段と、無線電波以外の通信経路を利用して、外部とのデータ通信が可能な第２のデータ通信手段とを含むものが提案されているが、これは第１のタグとこの第１のタグに着脱自在の第２のタグとを用いておらず、この発明とは別異のものである。
【特許文献１】特開２００２−２４６９４７号公報
【発明の開示】
【発明が解決しようとする課題】
【０００４】
物品の紛失を防いだり追跡したりするにはアクティブタグが必要である。すなわち、アクティブタグによれば、うっかり見失った物品を発見でき、あるいは現在の物品位置を特定できる。しかしながら、アクティブタグは高価でありペイしないことや、全てのアクティブタグに定期的電池交換作業が必要であるために、全ての管理対象物品にアクティブタグを永続的に付けることは困難である。また、アクティブタグを何度も使いまわすには人件費がかかる。すなわち、再利用時に物品とタグとのデータ紐つけをし直す作業が必要であり、ある物品のＩＤを永続的に管理することもできない。さらに、物品のライフサイクルによって、アクティブタグであって欲しいときとそうでないときとがある。すなわち、物品が倉庫に保管されているときは、場所が決まっていて動かないので、アクティブタグでなくてもよい。一方、出荷・貸し出し・配送時には、物品が現在どこにあるかリアルタイムに把握したいので、アクティブタグであって欲しい。
そこで、この発明が解決しようとする課題は、必要に応じてアクティブタグと同様な機能を持たせることができ、しかも総合的に見てアクティブタグに比べて安価に構成することができる無線ＩＤタグ、これを用いた物品の管理方法および物品の管理システムを提供することである。
【課題を解決するための手段】
【０００５】
上記課題を解決するために、第１の発明は、
管理対象物品に装着され、この管理対象物品に固有の第１の識別情報を有する第１のタグと、
上記第１のタグに着脱自在に構成され、固有の第２の識別情報を外部に無線送信可能に構成された第２のタグとを有することを特徴とする無線ＩＤタグである。
【０００６】
典型的には、第２のタグは、第１のタグに装着されたときに第１のタグからその第１の識別情報を取得し、第２のタグの第２の識別情報と組にして外部に無線送信可能に構成される。必要に応じて、第１のタグにパッシブタグ機能、すなわちタグリーダからの誘導電力により第１の識別情報を外部に無線送信可能な機能を持たせてもよい。第２のタグには典型的には電源として電池が内蔵されるが、この電池としては通常の化学電池以外に、あるいは化学電池と組み合わせて太陽電池などの他の電池を内蔵させてもよいし、場合によっては発電機を内蔵させたりしてもよい。太陽電池を内蔵させる場合には、太陽電池で発電された電力を蓄える蓄電器も併せて内蔵させるのが好ましい。
【０００７】
第１のタグは、光学的に読み取り可能に構成された第１の識別情報を第２のタグが装着される部位の表面にのみ有するように構成してもよい。この場合、第２のタグは、第１のタグに装着されたときにこの第１の識別情報を読み取るための光学読取装置およびこの光学読取装置から送信される第１の識別情報を記憶するためのメモリを有するように構成することができる。あるいは、第２のタグとは別に、第２のタグに着脱自在に構成されたタグ接続装置を設け、このタグ接続装置を、第２のタグおよびこのタグ接続装置が第１のタグに装着されたときに第１の識別情報を読み取るための光学読取装置を有するように構成し、第２のタグはこの光学読取装置から送信される第１の識別情報を記憶するためのメモリを有するように構成してもよい。
【０００８】
管理対象物品は、基本的にはどのようなものであってもよいが、具体例を挙げると、図書館の図書、社内や役所内や病院内などの重要書類や物品、デパートやスーパーマーケットやコンビニエンスストアなどに陳列する商品、美術館・博物館の展示品などである。管理対象物品に対する第１のタグの装着の仕方は問わず、直接装着しても、紐などの他のものを介して間接的に装着してもよい。
第１の識別信号は、第１のタグに第２のタグが装着されたときにこの第２のタグにパッシブに送ることができる限り、いずれの手法によって作成してもよいが、具体的には例えば、電気的、光学的、磁気的、機械的な手法によって作成することができる。第２の識別信号は通常、電気信号である。
【０００９】
第２の発明は、
管理対象物品にこの管理対象物品に固有の第１の識別情報を有する第１のタグを装着し、この第１のタグに、その固有の第２の識別情報を外部に無線送信可能に構成された第２のタグを装着し、この第２のタグが上記第１のタグから上記第１の識別情報を取得し、上記第２の識別情報と組にして外部に無線送信することにより対象物品の管理を行うようにしたことを特徴とする物品の管理方法である。
第２の発明においては、その性質に反しない限り、第１の発明に関連して説明したことが成立する。
【００１０】
第３の発明は、
管理対象物品に装着され、この管理対象物品に固有の第１の識別情報を有する第１のタグと、上記第１のタグに着脱自在に構成され、固有の第２の識別情報を外部に無線送信可能に構成された第２のタグとを有する無線ＩＤタグと、
上記第１の識別情報および上記第２の識別情報を受信するための受信装置とを有することを特徴とする物品の管理システムである。
第３の発明においては、その性質に反しない限り、第１の発明に関連して説明したことが成立する。
【発明の効果】
【００１１】
この発明によれば、第１のタグはアクティブタグと異なり安価に構成することができるので、第１のタグを管理対象物品に装着することで、従来の方法により物品固有のＩＤを安価かつ永続的に管理することができる。一方、物品の出荷時などに第１のタグに第２のタグを装着し、物品の到着時などにこの第２のタグを取り外すことにより、物品が移動している間のみ、第２のタグから外部に無線送信される第１の識別情報および第２の識別情報により物品の位置を追跡するアクティブタグとして機能させることができる。第２のタグはアクティブタグと同様に一般に高価になるが、繰り返し使用することができ、また、通常は管理対象物品よりもはるかに少なくて済むことが多いため、第１のタグと第２のタグとの全体で見ると安価である。このように、この無線ＩＤタグは、必要に応じてアクティブタグと同様な機能を持たせることができ、しかも総合的に見てアクティブタグに比べて安価に構成することができる。また、この発明によれば、管理対象物品の盗難や紛失などを有効に防止することができる。
【発明を実施するための最良の形態】
【００１２】
以下、この発明の実施形態について図面を参照しながら説明する。
まず、この発明の第１の実施形態によるＲＦＩＤタグについて説明する。
図１ＡおよびＢはこのＲＦＩＤタグを構成する二つのタグ１０、２０を示し、図２はタグ１０にタグ２０が装着された状態、図３は管理対象物品３０にタグ１０が装着され、このタグ１０にタグ２０が装着された状態を示す。これらのタグ１０、２０のサイズは用途や機能などに応じて適宜決めることができ、同じサイズでなくてもよいが、一例を挙げると、組み合わさった状態で２ｃｍ×４ｃｍ×５ｍｍ程度のサイズである。これらのタグ１０、２０の材質も用途や機能などに応じて適宜決めることができ、従来公知のものを使用することができる。
【００１３】
図１Ａに示すように、タグ１０は、その下面１０ａ側が管理対象物品に装着されるようになっており、この管理対象物品に固有の識別情報ＩＤ−１を有する。この「ＩＤ−１」は、例えば、電気的、光学的、磁気的あるいは機械的な手法によって作成することができる。必要に応じて、この「ＩＤ−１」を、タグ１０の表面の外部から見ることができる部位に可視表示してもよい。図１Ａにおいては、一例として、この「ＩＤ−１」がバーコード１１として表示されている
【００１４】
図１Ｂに示すように、タグ２０は、その下面２０ａ側をタグ１０の上面１０ｂに着脱自在に装着することができるようになっている。このタグ２０は、通常のアクティブタグの機能を有する。すなわち、このタグ２０は固有の識別情報ＩＤ−２を有するとともに、この「ＩＤ−２」を外部に無線送信するためのＲＦ発信機２１およびアンテナ２２ならびにこのＲＦ発信機２１に電力を供給する電源としての電池２３を有する。このタグ２０は定期的あるいは自発的に「ＩＤ−２」を無線送信するようになっている。
【００１５】
図２および図３に示すように、タグ１０の上面１０ｂにタグ２０がその下面２０ａを下にして装着されると、タグ１０の「ＩＤ−１」がパッシブにタグ２０のＲＦ発信機２１に送られるようになっている。図２および図３においては、タグ１０にタグ２０が装着されたときにタグ１０の「ＩＤ−１」をパッシブにタグ２０に送るための手段または構造を着脱可能端子４０として模式的に示してある。図１ＡおよびＢにおいては、タグ１０側の着脱可能端子を符号４０ａで示し、タグ２０側の着脱可能端子を符号４０ｂで示してある。図３に示すように、タグ２０からは、ＲＦ発信機２１により、「ＩＤ−１」および「ＩＤ−２」が組となってアンテナ２２より無線電波の形で送信され、これが所定のリーダにより受信されるようになっている。
【００１６】
着脱可能端子４０は、具体的には例えば次のように構成される。「ＩＤ−１」がタグ１０内に設けられたメモリに電気信号として蓄積される場合には、タグ１０の上面１０ｂに出力端子が設けられるとともに、タグ２０の下面２０ａに入力端子が設けられ、これらの入出力端子が着脱可能端子４０となる。これらの入出力端子を介して「ＩＤ−１」がタグ２０にパッシブに送られる。また、「ＩＤ−１」がタグ１０の上面１０ｂに機械的構造として作成される場合には、例えばこの上面１０ｂに垂直な突起群を形成し、各突起の長さやこれらの突起の配置などにより「ＩＤ−１」を作成する一方、タグ２０の下面２０ａにこれらの突起に対応する位置にこれらの突起が入る穴を形成し、これらの穴の底部にタグ１０の上面１０ｂの突起が入ってきたときにそれにより加わる力によりオン／オフのスイッチングが可能なマイクロスイッチを形成しておく。この場合、これらの突起および穴が着脱可能端子４０となる。これらのマイクロスイッチのオン／オフにより、「ＩＤ−１」がタグ２０にパッシブに送られる。
【００１７】
タグ１０にタグ２０を装着した場合、タグ２０に外力が加わったときにタグ１０から容易に外れないようにすることが重要である。このため、例えば、タグ１０の上面１０ｂおよびタグ２０の下面２０ａに嵌合構造を設け、一定以上の外力が加わらない限り、タグ１０からタグ２０が外れないようにすることができる。この場合、この嵌合構造として、上記の突起および穴からなる着脱可能端子４０を用いることも可能である。このような嵌合構造を用いる代わりに、タグ１０の上面１０ｂおよびタグ２０の下面２０ａ同士が磁力で結合するようにしてもよい。さらに、タグ２０をタグ１０にねじやピンで取り付けるようにしてもよい。一方、タグ１０からタグ２０を取り外す際に加わる外力によって、タグ１０が管理対象物品３０から外れないようにするため、タグ１０は、より強固な方法で（あるいは半永久的な方法で）、管理対象物品３０に装着するようにする。
【００１８】
このＲＦＩＤタグによれば、次のような多くの利点を得ることができる。
まず、全ての物品にタグ１０を接着などにより装着することで、物品固有のＩＤ、つまり「ＩＤ−１」を安価かつ永続的に管理できる。例えば、物品が長期間動かない場合は、タグ１０の表面のバーコードなどにより従来の方法で安価に管理できる。
また、物品の出荷時にタグ１０にタグ２０を装着し、到着時にタグ２０を取り外すことにより、物品が移動している間のみ、位置を追跡するアクティブタグとして機能させることができる。この場合、無線送信機能を有するタグ２０は高価だが、このタグ２０は同時に移動する物品の数だけあればよく、これは全物品数に比べてはるかに少なくて済むことが多いので、実用的には問題にならないと考えられる。また、タグ２０をタグ１０に装着することで自動的にデータの紐つけ作業が行われるので、人手でデータベースに入力するのに比べて工数を大幅に削減でき、誤入力も防げる。また、「ＩＤ−１」と「ＩＤ−２」とが組になって送信されることで、タグ２０とタグ１０とが物理的に接していることを保証できる。タグ２０がタグ１０から外れた場合には「ＩＤ−２」のみが送信されるので、リーダがそれを受信した時点で直ちに検出できる。また、タグ２０が再利用され、別の物品に装着された場合でも、「ＩＤ−１」と「ＩＤ−２」との組み合わせが変わるので、前の物品と混同するおそれがない。また、タグ２０の寿命が尽きて、別のタグと交換してもタグ１０の「ＩＤ−１」には影響がないので、物品データベースには直接影響しない。さらに、タグ２０を外しておけば、第三者により勝手に「ＩＤ−１」が無線で読み取られないことを保証できるので、物品所有者のプライバシーを保護することができる。
【００１９】
次に、このＲＦＩＤタグの具体的な利用例について説明する。
（１）図書館の図書管理
図書館の全ての図書にタグ１０を接着し、その「ＩＤ−１」を永続的に管理する。書庫の定位置に保管されている図書は、このタグ１０のみで管理する。図書の貸し出し時および、書庫移動の際にタグ２０をタグ１０に装着し、移動追跡することで、図書の紛失・滞留を防ぐことができる。また、書庫に格納するときに図書からタグ２０を外すことにすれば、どの書庫に格納したかも記録される。
【００２０】
（２）重要書類の管理
重要書類（契約書や病院のカルテなど）の原本にタグ１０を接着などにより装着し、その「ＩＤ−１」を永続的に管理する。例えば、重要書類が文書庫の定位置に保管されている間はタグ１０のみで管理する。契約書の送付・回覧や、カルテ閲覧の際に、タグ１０にタグ２０を装着し、移動追跡することで紛失・滞留を防ぐことができる。
【００２１】
（３）社内物品管理
全ての物品にタグ１０を接着などにより装着し、その「ＩＤ−１」を永続的に管理する。定位置に保管されている物品は、このタグ１０のみで管理する。物品の持ち出し・保管替え・移動運搬の際にタグ２０をタグ１０に装着し、移動追跡することで、物品の紛失・滞留を防ぐことができる。また、顧客データの入ったパーソナルコンピュータ（ＰＣ）のように特別に重要な物品は、常にタグ２０を装着しておくことで持ち出しを防止する。
【００２２】
（４）万引き防止
管理対象商品にタグ１０を埋め込んでおく、すなわち物理的に取り外し困難な状態にしておく。管理対象商品を展示陳列する際に、タグ１０にタグ２０を装着し、その商品の位置を管理する。タグ２０は全ての商品に装着する必要はなく、特に万引きが心配な商品だけに付けてもよい。また、レジ購入時にタグ１０からタグ２０を外し、顧客が購入した商品を持ち帰る。この場合、タグ２０を外した後は商品を追跡不可能なので、プライバシーは保護される。また、レジ購入前に商品が店の出口に移動した場合は、所定の警報を発する。レジ購入前にタグ２０が外された場合も、同様に警報を発する。
【００２３】
（５）美術館・博物館の展示品管理
管理対象展示品にタグ１０を接着などにより装着し、その「ＩＤ−１」を永続的に管理する。展示品が保管庫の定位置に保存されている間は、タグ１０のみで管理する。展示陳列する際や、他の美術館に移動する際には、タグ１０にタグ２０を装着し、位置を追跡することで展示品の紛失・滞留・盗難を防ぐことができる。
【００２４】
パッシブなタグ１０の「ＩＤ−１」とアクティブなタグ２０の「ＩＤ−２」とを組み合わせることにより、以下に説明するように、一時的個物（インスタンス）ＩＤの生成や、異なるレベルのＩＤ情報の一貫した利用が可能である。ここで、個物ＩＤとは、同じ品種の物品が複数存在する場合に、その中の個々の物品（個物）を区別するためのＩＤを意味する。
【００２５】
・一時的個物ＩＤの生成
タグ１０の「ＩＤ−１」に個物ＩＤがなくても、一時的な個物ＩＤを生成し利用することができる。すなわち、タグ１０の「ＩＤ−１」とタグ２０の固有の「ＩＤ−２」とを組み合わせることにより、一時的に固有の個物ＩＤ（あるアクティブタグが貼られた品番〜の個物という指定）を生成し利用することができる。
個物の履歴を全て管理する場合には、個物ＩＤが必須であるが、大量生産品のように、特定の目的で管理（在庫管理など）している間以外には、個物として扱う必要がないようなものに対しては、品番ＩＤや品番ＩＤ＋タイプＩＤなどの情報を利用する。
【００２６】
・異なるレベルのＩＤ情報の一貫した利用
タイプＩＤや個物ＩＤの情報が存在しないタグ１０の「ＩＤ−１」をタグ２０に書き込む場合には、各々のＩＤを０に設定し、ＩＤのビット長を揃える。
システムとして個物ＩＤやタイプＩＤまで扱う必要がない場合には、下位ビットをマスクすることにより、必要な情報をコントロールすることが可能である。
【００２７】
タグ１０の「ＩＤ−１」は、例えば、次のような構成とすることができる。
第１の例では、「ＩＤ−１」を品番ＩＤ＋タイプＩＤ＋個物ＩＤを順に表すビット列として表現する。この場合、各々のＩＤは固定長ビットにより表現する。タイプＩＤにはロット情報などを記入する。品番ＩＤは必須であるが、タイプＩＤ、個物ＩＤに関しては、必須ではない。
第２の例では、品番ＩＤとしてＪＡＮ（Japanese Article Number)コード、タグ１０として既存のバーコードを利用することにより、既存のバーコードに関するインフラをそのまま利用することが可能である。この場合、例えば、在庫管理のアプリケーションなどを作成する際に、商品出荷側への新たなコスト負担が不要となり、管理コストの低減が可能である。
【００２８】
タグ１０の「ＩＤ−１」は次のような利用も可能である。
・インスタンスベースのＩＤの利用
全ての個物（インスタンス）に固有のＩＤを付けて、全ての履歴を管理することができる。
・クラスベースのＩＤの利用
個物にＩＤを付けるのではなく、クラス（例えば、現在のバーコードで利用している品番あるい、ロット毎の単位）に対して一つのＩＤを付ける。
タグ２０との組み合わせにより、一時的に個物としてのＩＤを生成し、管理することも可能である。
クラスベースのＩＤの利用により、管理コストの低減（全ての個物のＩＤに比較して、クラスベースのＩＤの個数は少ない）を図ることができる。例えば、１品番当たり、トータルで１００００個売れる商品を管理する場合、品番をＩＤにすると、品番ＩＤ＋実際の在庫数（１０から１００程度）のＩＤ管理で済む。
【００２９】
次に、上記の利用例をより具体的に説明する。
・建築資材管理または工場資材管理
建築現場や工場においては、どこにどのような資材があるかを把握する必要性がある。このような場合、上記のクラスベースのＩＤを利用することができる。すなわち、複数の作業員がパラレルに作業を行い、資材を必要とする可能性があるので、全体としての在庫情報と、個別の資材に対する割り付けを行うための個物の情報とが必要である。ただし、割り付けが終わった後では、どの個物であったかという情報は不要である。
また、資材の入荷の確認として、資材に装着したタグ１０にタグ２０を貼り付け、作業に利用する際に、タグ２０をはがす。こうすることで、どれだけの資材がどこで利用されたかが分かるため、工程の進捗状態を把握することが可能である。
【００３０】
・在庫管理（特に、生鮮食料品や備蓄食料品（乾パン、インスタントラーメンなど）など）
これらの商品の在庫を確認する場合、上記のクラスベースのＩＤを利用することができる。すなわち、入荷日などの情報を扱うためには、個物としての情報が必要であり、これを上記のクラスベースのＩＤにより得ることができる。ただし、販売が終わった後では、どの個物であったかという情報は不要である。入荷の確認として、商品に装着したタグ１０にタグ２０を貼り付け、販売した際に、タグ２０をはがす。こうすることで、入荷と出荷の時期に関する情報を記録可能である。すなわち、一つの商品が在庫として倉庫にどれくらい滞留しているかという情報を把握可能である。また、工場の不具合などによる商品回収の要請があった場合、ある期間に出荷された特定の商品を容易に特定可能である。また、出荷後のユーザクレームに対しても、いつ入荷したものを出荷したのかが把握可能となり、容易に対応可能となる。この場合、取引記録など他のデータベースと連携させることにより、ある程度のトレーサビリティーを確保することができる。
【００３１】
次に、この発明の第２の実施形態によるＲＦＩＤタグについて説明する。
図４はこのＲＦＩＤタグのタグ１０を示す。また、図５は管理対象物品３０にタグ１０が装着され、このタグ１０にタグ２０が装着された状態を示す。
図４および図５に示すように、このＲＦＩＤタグにおいては、タグ１０にパッシブタグ機能が追加されている。具体的には、タグ１０にＲＦ発信機１２およびアンテナ１３が設けられ、近距離のタグリーダからの誘導電力がＲＦ発信機１２に供給され、アンテナ１３からこのタグ１０の「ＩＤ−１」を返信することができるようになっている。管理対象物品が限られた場所しか移動しない場合には、タグ２０を装着しなくても、タグ１０自身がパッシブタグとして機能する。
上記以外のことは第１の実施形態によるＲＦＩＤタグと同様である。
このＲＦＩＤタグは、例えば、図書館の開架書棚に並べる図書、商店の陳列棚に陳列する商品、倉庫の保管庫に保管する物品などの管理に適用することができる。
【００３２】
次に、この発明の第３の実施形態によるＲＦＩＤタグについて説明する。
図６ＡおよびＢはこのＲＦＩＤタグを構成する二つのタグ１０、２０を示し、図７はタグ１０にタグ２０が装着された状態、図８は管理対象物品３０にタグ１０が装着され、このタグ１０にタグ２０が装着された状態を示す。
図６Ａに示すように、タグ１０は、タグ２０が装着される上面１０ｂに付けられたバーコード１１としてのみ「ＩＤ−１」を有する。この上面１０ｂには突起１０ｃが設けられている。
【００３３】
図６Ｂに示すように、タグ２０は、「ＩＤ−１」としてのバーコード１１を読み取るための光学読取装置５１およびこの光学読取装置５１により読み取られ、送信される「ＩＤ−１」を記憶するためのＩＤ−１メモリ５２を有する。これらの光学読取装置５１およびＩＤ−１メモリ５２は電池２３を電源として駆動される。光学読取装置５１は、タグ２０をタグ１０に装着したときに、タグ１０の上面１０ｂのバーコード１１の読み取りが可能な位置に設けられている。タグ２０はまた、その下面２０ａ側に穴２０ｂを有する。この穴２０ｂは、タグ２０をタグ１０に装着したときに、タグ１０の突起１０ｃに対応した位置に設けられている。突起１０ｃと穴２０ｂとは、突起１０ｃが穴２０ｂに入ったときにそれにより加わる力によりオン、入っていないときにはオフとなるマイクロスイッチを構成する。
【００３４】
図６および図７に示すように、タグ１０の上面１０ｂにタグ２０がその下面２０ａを下にして装着されると、タグ１０の突起１０ｃがタグ２０の穴２０ｂに入ってスイッチがオンする。このとき、スイッチ信号が光学読取装置５１およびＩＤ−１メモリ５２に送信され、光学読取装置５１は読み取りモード、ＩＤ−１メモリ５２は書き込みモードとなる。そして、光学読取装置５１によりタグ１０の上面１０ｂのバーコード１１が読み取られて「ＩＤ−１」がＩＤ−１メモリ５２に送信され、記憶される。こうしてＩＤ−１メモリ５２に記憶された「ＩＤ−１」はＲＦ発信機２１に送られ、このＲＦ発信機２１により、「ＩＤ−１」および「ＩＤ−２」が組となってアンテナ２２より無線電波の形で送信され、これが所定のリーダにより受信される。
タグ１０からタグ２０を取り外した場合には、タグ２０が分離された瞬間にタグ１０の突起１０ｃがタグ２０の穴２０ｂから抜けてスイッチがオフし、ＩＤ−１メモリ５２に記憶された「ＩＤ−１」が自動的に消去され、リセットされる。
上記以外のことは第１の実施形態によるＲＦＩＤタグと同様である。
【００３５】
この第３の実施形態によれば、第１の実施形態と同様な利点を得ることができるほか、次のような利点を得ることができる。すなわち、タグ１０は、その上面１０ｂに表面印刷などにより容易に作成することができるバーコード１１としてのみ「ＩＤ−１」を有するため、タグ１０の構成を単純化することができ、製造コストの大幅な低減を図ることができる。タグ１０の使用個数はタグ２０の使用個数よりもはるかに多いのが通常であるので、タグ１０の製造コストの大幅な低減により、この無線ＩＤタグは、総合的に見てアクティブタグに比べて極めて安価に構成することができる。
【００３６】
次に、この発明の第４の実施形態によるＲＦＩＤタグについて説明する。
図９ＡおよびＢはこのＲＦＩＤタグを構成する二つのタグ１０、２０を示し、図９Ｃはタグ接続装置６０を示し、図１０はタグ１０にタグ２０およびタグ接続装置６０が装着された状態、図１１は管理対象物品３０にタグ１０が装着され、このタグ１０にタグ２０およびタグ接続装置６０が接続された状態を示す。
【００３７】
図９Ａに示すように、タグ１０は、第３の実施形態と同様に構成されている。
図９Ｂに示すように、タグ２０は、光学読取装置５１が設けられていないことを除いて第３の実施形態と同様に構成されている。
図９Ｃに示すように、タグ接続装置６０は、タグ２０の一側面および上面に取り付けられるようにＬ字形状を有している。このタグ接続装置６０は、光学読取装置５１およびこの光学読取装置５１の駆動用電源としての電池６１を有する。このタグ接続装置６０とタグ２０とは、相互に結合したときに、突起１０ｃおよび穴２０ｂからなるマイクロスイッチのスイッチ信号が光学読取装置５１に送信され、この光学読取装置５１が読み取りモードとなってタグ１０のバーコード１１から「ＩＤ−１」が読み取られ、この光学読取装置５１から「ＩＤ−１」がＩＤ−１メモリ５２に送信されるように有線または無線で接続されるようになっている。
【００３８】
図１０および図１１に示すように、まず、タグ１０の上面１０ｂにタグ２０をその下面２０ａを下にして装着すると、タグ１０の突起１０ｃが穴２０ｂに入ってスイッチがオンする。このとき、スイッチ信号がＩＤ−１メモリ５２に送信され、ＩＤ−１メモリ５２は書き込みモードとなる。次に、タグ２０にタグ接続装置６０を装着する。すると、タグ接続装置６０の光学読取装置５１が読み取りモードとなり、この光学読取装置５１によりタグ１０の上面１０ｂのバーコード１１が読み取られて「ＩＤ−１」がＩＤ−１メモリ５２に送信され、記憶される。こうしてＩＤ−１メモリ５２に記憶された「ＩＤ−１」はＲＦ発信機２１に送られ、このＲＦ発信機２１により、「ＩＤ−１」および「ＩＤ−２」が組となってアンテナ２２より無線電波の形で送信され、これが所定のリーダにより受信される。
タグ２０の装着が完了したら、タグ接続装置６０を取り外す。ただし、必要であれば、タグ接続装置６０を装着したままにしてもよい。
タグ２０を取り外した場合には、タグ２０が分離された瞬間にタグ１０の突起１０ｃが穴２０ｂから抜けてスイッチがオフし、ＩＤ−１メモリ５２に記憶された「ＩＤ−１」が自動的に消去され、リセットされる。
上記以外のことは第１の実施形態によるＲＦＩＤタグと同様である。
【００３９】
この第４の実施形態によれば、第１の実施形態と同様な利点を得ることができるほか、次のような利点を得ることができる。すなわち、タグ１０は、その上面１０ｂに表面印刷などにより容易に作成することができるバーコード１１としてのみ「ＩＤ−１」を有するため、タグ１０の構成を単純化することができ、製造コストの大幅な低減を図ることができる。また、光学読取装置５１のコストが高く、サイズや消費電力が大きく、タグ２０に内蔵させるのが困難な場合でも、この光学読取装置５１をタグ２０とは別のタグ接続装置６０に内蔵させ、さらにその駆動用電源として電池６１も内蔵させているため、何ら支障が生じない。また、タグ接続装置６０は、物品が移動し始める場所でのみ必要であるため、タグ２０の数より少なくて済む。このため、この無線ＩＤタグは、総合的に見てアクティブタグに比べて極めて安価に構成することができる。
【００４０】
次に、この発明の第５の実施形態によるＲＦＩＤタグについて説明する。
この第５の実施形態においては、第４の実施形態において、タグ２０のＩＤ−１メモリ５２にタグ１０の「ＩＤ−１」の書き込みを行う際に、「ＩＤ−１」の書き込みが成功したことを確認するためのフラグ（書き込み終了フラグ）を立てる。こうすることで、特に無線で「ＩＤ−１」の書き込みを行う場合、書き込み終了フラグが立ったか否かで書き込みエラーの有無が分かるので、迅速な対応が可能となる。また、ＩＤ−１メモリ５２の周りのエラーの検出を行うこともできる。
【００４１】
また、この第５の実施形態においては、タグ２０に発光ダイオードなどからなるパイロットランプを設ける。このパイロットランプは、初期設定時のＩＤ−１メモリ５２の書き込み状況および電池２３が電池切れを起こしているか否かを確認するために用いることができる。すなわち、このパイロットランプは、タグ１０へのタグ２０の装着により上記のマイクロスイッチがオンし、かつＩＤ−１メモリ５２の内容が設定されていない、言い換えると書き込みが終了していないとき（書き込み終了フラグが立っていないとき）に点灯し、それ以外は消灯する。
【００４２】
この第５の実施形態においては、図９および図１０に示すように、まず、タグ１０の上面１０ｂにタグ２０をその下面２０ａを下にして装着すると、タグ１０の突起１０ｃがタグ２０の穴２０ｂに入ってスイッチがオンする。このとき、書き込み終了フラグが立っていないので、パイロットランプが点灯するとともに、スイッチ信号によりＩＤ−１メモリ５２が書き込みモードになる。次に、タグ２０にタグ接続装置６０を装着する。すると、スイッチ信号により読み取りモードとなった光学読取装置５１によりタグ１０の上面１０ｂのバーコード１１が読み取られて「ＩＤ−１」がＩＤ−１メモリ５２に送信され、記憶される。このとき、タグ接続装置６０は、ＩＤ−１メモリ５２に書き込んだ内容を読み出すことにより、書き込みが成功したことを確認し、書き込み終了フラグを立て、終了メッセージを出す。この終了メッセージとしては、例えば、タグ接続装置６０に取り付けたブザーから出るビープ音を用いることができる。書き込みに失敗した場合には、タグ接続装置６０がエラーメッセージを出す。このエラーメッセージとしては、例えば、タグ接続装置６０に取り付けたブザーから出るビープ音（終了メッセージのビープ音とは異なるビープ音）を用いることができる。ユーザは、エラーメッセージを確認したら、タグ接続装置６０をタグ２０から取り外してから再度装着し、終了メッセージが出るまでこの操作を繰り返す。タグ２０のパイロットランプは、書き込み終了フラグが立つことにより、消灯する。また、ＩＤ−１メモリ５２は書き込み不可モードとなる。
【００４３】
ＩＤ−１メモリ５２に記憶された「ＩＤ−１」はＲＦ発信機２１に送られ、このＲＦ発信機２１により、「ＩＤ−１」および「ＩＤ−２」が組となってアンテナ２２より無線電波の形で送信され、これが所定のリーダにより受信される。
タグ２０の装着が完了したら、タグ接続装置６０を取り外す。ただし、タグ接続装置６０を装着したままにしてもよい。
タグ２０を取り外した場合には、タグ２０が分離された瞬間にタグ１０の突起１０ｃがタグ２０の穴２０ｂから抜けてスイッチがオフし、ＩＤ−１メモリ５２に記憶された「ＩＤ−１」および書き込み終了フラグが自動的に消去され、リセットされる。
上記以外のことは第１および第４の実施形態によるＲＦＩＤタグと同様である。
【００４４】
この第５の実施形態によれば、第１および第４の実施形態と同様な利点を得ることができるほか、次のような利点を得ることができる。すなわち、タグ２０の電池２３の電池切れが発生したり、タグ１０に対するタグ２０の接続が不完全な場合、これらをパイロットランプで確認することが可能であり、また、タグ接続装置６０によりＩＤ−１メモリ５２に書き込んだ内容を読み出したときにエラーが多発するようなときにこれをチェックすることができるなど、ハードエラーの発見が可能である。さらに、実際にタグ２０を貼り付けてから、タグ１０のＩＤ−１の書き込みを行うという作業手順にすることにより、間違えて、別のタグの情報を読んで書き込む可能性の低減を図ることができ、ヒューマンエラーの低減を図ることができる。また、例えば商品の入荷時に、多くのタグ２０を商品に取り付けなければいけないような状況を想定した場合、タグ２０の装着を行い、全てのタグ２０をセットし終わった段階で、順番に上記のタグ接続装置６０の接続操作を行っていくといった作業が可能になる。
【００４５】
次に、この発明の第６の実施形態によるＲＦＩＤタグについて説明する。
図１２ＡおよびＢはこのＲＦＩＤタグを構成するタグ１０を示し、図１２Ａは平面図、図１２Ｂは側面図である。図１３Ａ〜ＤはこのＲＦＩＤタグを構成するタグ２０を示し、図１３Ａは平面図、図１３Ｂは正面図、図１３Ｃは底面図、図１３Ｄは側面図である。
図１４はタグ１０にタグ２０が装着された状態を示す。
【００４６】
図１２ＡおよびＢに示すように、タグ１０は、板状部材７１の一方の面に「ＩＤ−１」に対応するバーコード１１を有し、さらにスライダ受け用ポケット７２およびスライダ抜け止め用突起７３を有する。スライダ受け用ポケット７２は、例えば、板状部材７１の面に垂直に設けられた垂直板とこの垂直板の上端からこの面に水平に張り出した屋根板とからなる。
図１３ＡおよびＢに示すように、タグ２０は板状のスライダ８１上に搭載されている。このタグ２０の一つの角部の近傍に、発光ダイオードなどからなるパイロットランプ８２が設けられている。タグ２０の裏面にはリミットスイッチ８３が設けられている。このリミットスイッチ８３は、スライダ８１に設けられた開口部８１ａを通って外部に突出している。このタグ２０には、図示は省略するが、第４の実施形態と同様にＩＤ−１メモリ５２が設けられている。
【００４７】
この第６の実施形態においては、第４の実施形態と同様に、タグ１０、２０に加えて、タグ接続装置６０を用いる。このタグ接続装置６０は、このタグ接続装置６０とタグ２０とが相互に結合したときに、スイッチ信号が光学読取装置５１に送信され、この光学読取装置５１が読み取りモードとなってタグ１０のバーコード１１から「ＩＤ−１」が読み取られ、この光学読取装置５１から「ＩＤ−１」がタグ２０のＩＤ−１メモリ５２に送信されるように有線または無線で接続されるようになっている。
【００４８】
タグ１０にタグ２０を装着する場合には、タグ１０のスライダ受け用ポケット７２の開放端側（図１２Ａの下側）からスライダ８１をスライドさせて挿入する。このとき、スライダ抜け止め用突起７３により、スライダ８１がスライダ受け用ポケット７２から抜け出るのが防止される。タグ１０のスライダ受け用ポケット７２にスライダ８１がが挿入されると、タグ２０の裏面に設けられたリミットスイッチ８３の先端がタグ１０に当たって引っ込み、オンとなる。このリミットスイッチ８３のスイッチ信号によりＩＤ−１メモリ５２が書き込みモードとなる。次に、タグ２０にタグ接続装置６０を装着する。すると、タグ接続装置６０の光学読取装置５１が読み取りモードとなり、この光学読取装置５１によりタグ１０のバーコード１１が読み取られて「ＩＤ−１」がタグ２０のＩＤ−１メモリ５２に送信され、記憶される。こうしてＩＤ−１メモリ５２に記憶された「ＩＤ−１」はＲＦ発信機２１に送られる。そして、このＲＦ発信機２１により、「ＩＤ−１」および「ＩＤ−２」が組となってアンテナ２２より無線電波の形で送信され、これが所定のリーダにより受信される。
タグ２０を取り外した場合には、タグ２０が分離された瞬間にタグ１０のリミットスイッチ８３の先端が元の位置に戻ってオフとなり、ＩＤ−１メモリ５２に記憶された「ＩＤ−１」が自動的に消去され、リセットされる。
上記以外のことは第１および第４の実施形態によるＲＦＩＤタグと同様である。
この第６の実施形態によれば、第１および第４の実施形態と同様な利点を得ることができる。
【００４９】
次に、この発明の第７の実施形態によるＲＦＩＤタグについて説明する。
図１５ＡおよびＢはこのＲＦＩＤタグを構成するタグ２０を示し、図１５Ａは平面図、図１５Ｂは側面図である。図１６はタグ２０をタグ１０に固定するためのタグ固定用部品９０を示す。図１７はタグ固定用部品９０によりタグ２０がタグ１０に固定された状態を示す。
【００５０】
図１６に示すように、タグ固定用部品９０は固定部９０ａと針９０ｂとからなる。
図１５ＡおよびＢに示すように、タグ２０の一方の面には発光ダイオードなどからなるパイロットランプ８２が設けられ、他方の面にはタグ固定用部品９０の針９０ｂが差し込まれる穴２０ｃを有する。タグ固定用部品９０の針９０ｂとタグ２０の穴２０ｃとは、針９０ｂが穴２０ｃに入ったときにそれにより加わる力によりオン、入っていないときにはオフとなるマイクロスイッチを構成する。このタグ２０には、図示は省略するが、第４の実施形態と同様にＩＤ−１メモリ５２が設けられている。
【００５１】
図１７に示すように、ここでは、タグ１０が、万引き防止用のインクタグと同様に、ネームタグや紙などの柔構造物である場合を考える。このタグ１０は、万引き防止用のインクタグと同様の手順で、商品などの管理対象物品に装着し、取り外すことができる。
この第７の実施形態においては、第４の実施形態と同様に、タグ１０、２０に加えて、タグ接続装置６０を用いる。このタグ接続装置６０は、このタグ接続装置６０とタグ２０とが相互に結合したときに、スイッチ信号が光学読取装置５１に送信され、この光学読取装置５１が読み取りモードとなってタグ１０のバーコード１１から「ＩＤ−１」が読み取られ、この光学読取装置５１から「ＩＤ−１」がタグ２０のＩＤ−１メモリ５２に送信されるように有線または無線で接続されるようになっている。
【００５２】
タグ１０にタグ２０を装着するには、固定用部品９０の針９０ｂによりタグ１０を突き通し、さらに針９０ｂをタグ２０の穴２０ｃに入れる。こうして、タグ固定用部品９０の固定部９０ａとタグ２０との間にタグ１０が挟まれた状態となる。タグ２０の穴２０ｃに固定用部品９０の針９０ｂが入ると、スイッチ信号がタグ２０のＩＤ−１メモリ５２に送信され、このＩＤ−１メモリ５２は書き込みモードとなる。次に、タグ２０にタグ接続装置６０を装着する。すると、タグ接続装置６０の光学読取装置５１が読み取りモードとなり、この光学読取装置５１によりタグ１０のバーコード１１が読み取られて「ＩＤ−１」がタグ２０のＩＤ−１メモリ５２に送信され、記憶される。こうしてＩＤ−１メモリ５２に記憶された「ＩＤ−１」はＲＦ発信機２１に送られる。そして、このＲＦ発信機２１により、「ＩＤ−１」および「ＩＤ−２」が組となってアンテナ２２より無線電波の形で送信され、これが所定のリーダにより受信される。
【００５３】
タグ固定用部品９０を取り外し、タグ２０をタグ１０から取り外した場合には、タグ２０が分離された瞬間にスイッチがオフし、ＩＤ−１メモリ５２に記憶された「ＩＤ−１」が自動的に消去され、リセットされる。
上記以外のことは第１および第４の実施形態によるＲＦＩＤタグと同様である。
この第７の実施形態によれば、第１および第４の実施形態と同様な利点を得ることができるほか、既存のインクタグシステムと一体化することも可能であり、低コストで物品管理システムを構築することができるという利点を得ることができる。
【００５４】
次に、この発明の第８の実施形態によるＲＦＩＤタグについて説明する。
図１８はこのＲＦＩＤタグを構成するタグ２０を示す。図１９はタグ１０を管理対象物品３０の底面に取り付けた状態を示す。図２０は、底面にタグ１０を取り付けた管理対象物品３０をタグ２０上に置いた状態を示す。
図１８に示すように、タグ２０はコンテナ状に構成されている。このタグ２０の一側面にはパイロットランプ８２が設けられている。また、このタグ２０の底面には、パッシブタグリーダ（図示せず）が設けられている。このパッシブタグリーダの代わりに、重量センサや場合によっては光センサなどを用いることも可能である。
【００５５】
図２０に示すように、底面にタグ１０を取り付けた管理対象物品３０をタグ２０上に置くと、タグ２０の底面に設けられたパッシブタグリーダによりタグ１０の「ＩＤ−１」が読み取られ、これがタグ２０のＩＤ−１メモリ５２に送信され、さらにＲＦ発信機２１に送られる。そして、このＲＦ発信機２１により、「ＩＤ−１」および「ＩＤ−２」が組となってアンテナ２２より無線電波の形で送信され、これが所定のリーダにより受信される。パッシブタグリーダの代わりに、重量センサや場合によっては光センサなどを用いる場合には、これらのセンサが上記のパッシブタグリーダと同様な役割を果たす。
【００５６】
タグ１０を取り付けた管理対象物品３０をタグ２０の外に取り出した場合には、タグ１０がタグ２０から分離された瞬間にＩＤ−１メモリ５２に記憶された「ＩＤ−１」が自動的に消去され、リセットされる。
上記以外のことは第１の実施形態によるＲＦＩＤタグと同様である。
この第８の実施形態によれば、第１の実施形態と同様な利点を得ることができる。
この第８の実施形態によるＲＦＩＤを用いた物品管理システムは、例えば工場内における資材の管理に適用して好適なものである。
【００５７】
次に、この発明の第９の実施形態によるＲＦＩＤタグについて説明する。
上述の第４の実施形態においては、光学読取装置５１を内蔵したタグ接続装置６０を用いて、タグ１０の「ＩＤ−１」を読み取るようにしているが、タグ接続装置６０を用いる代わりに、例えばカメラ付き携帯電話を用いて「ＩＤ−１」を読み取るようにしてもよい。すなわち、例えば、「ＩＤ−１」をＱＲコードとして構成し、カメラ付き携帯電話によるＱＲコードの読み取り機能をそのまま利用して「ＩＤ−１」を読み取ることができる。
【００５８】
さらに、このカメラ付き携帯電話の外付けコネクタに、このカメラ付き携帯電話に読み取られた「ＩＤ−１」の有線書き込みケーブルまたは無線書き込みアンテナを接続することによりタグ２０のＩＤ−１メモリ５２に「ＩＤ−１」を書き込むことができる。後者の例を図２１に示す。図２１に示すように、カメラ付き携帯電話１０１の外付けコネクタに無線書き込み用のアンテナ１０２を接続し、このアンテナ１０２をタグ２０に近接させて「ＩＤ−１」を無線電波の形でタグ２０のＩＤ−１メモリ５２に書き込む。
【００５９】
この第９の実施形態によれば、第１の実施形態と同様な利点を得ることができるほか、次のような利点を得ることができる。すなわち、カメラ付き携帯電話はすでに広く普及しているので、このカメラ付き携帯電話をタグ接続装置６０の代わりに用いることにより、光学読取装置５１のコストを実質的にゼロにすることができる。付加機能として、カメラ付き携帯電話のｉ−ｍｏｄｅ（登録商標）などを利用して物品データベースにアクセスし、読み取ったＱＲコードが示す物品情報（品名、持ち主など）を画面表示することも可能である。こうすることで、例えば、タグ２０をタグ１０に装着する際に、タグ１０に付けられたＱＲコードに間違いがないことをユーザが確認することができる。
【００６０】
以上、この発明の実施形態について具体的に説明したが、この発明は、上述の実施形態に限定されるものではなく、この発明の技術的思想に基づく各種の変形が可能である。
例えば、上述の実施形態において挙げた数値、構造、形状、機能などはあくまでも例に過ぎず、必要に応じて、これらと異なる数値、構造、形状、機能などを用いてもよい。
【図面の簡単な説明】
【００６１】
【図１】この発明の第１の実施形態によるＲＦＩＤタグを構成する二つのタグを示す略線図である。
【図２】この発明の第１の実施形態によるＲＦＩＤタグを示す略線図である。
【図３】この発明の第１の実施形態によるＲＦＩＤタグを管理対象物品に装着した状態を示す略線図である。
【図４】この発明の第２の実施形態によるＲＦＩＤタグを構成する下層のタグを示す略線図である。
【図５】この発明の第２の実施形態によるＲＦＩＤタグを管理対象物品に装着した状態を示す略線図である。
【図６】この発明の第３の実施形態によるＲＦＩＤタグを構成する二つのタグを示す略線図である。
【図７】この発明の第３の実施形態によるＲＦＩＤタグを示す略線図である。
【図８】この発明の第３の実施形態によるＲＦＩＤタグを管理対象物品に装着した状態を示す略線図である。
【図９】この発明の第４の実施形態によるＲＦＩＤタグを構成する二つのタグおよびタグ接続装置を示す略線図である。
【図１０】この発明の第４の実施形態によるＲＦＩＤタグを示す略線図である。
【図１１】この発明の第４の実施形態によるＲＦＩＤタグを管理対象物品に装着した状態を示す略線図である。
【図１２】この発明の第６の実施形態によるＲＦＩＤタグを構成するパッシブタグを示す略線図である。
【図１３】この発明の第６の実施形態によるＲＦＩＤタグを構成するアクティブタグを示す略線図である。
【図１４】この発明の第６の実施形態によるＲＦＩＤタグを示す略線図である。
【図１５】この発明の第７の実施形態によるＲＦＩＤタグを構成するアクティブタグを示す略線図である。
【図１６】この発明の第７の実施形態において用いるタグ固定用部品を示す略線図である。
【図１７】この発明の第７の実施形態によるＲＦＩＤタグを管理対象物品に装着した状態を示す略線図である。
【図１８】この発明の第８の実施形態によるＲＦＩＤタグを構成するアクティブタグを示す略線図である。
【図１９】この発明の第８の実施形態において管理対象物品の底面にパッシブタグを装着した状態を示す略線図である。
【図２０】この発明の第８の実施形態において管理対象物品をアクティブタグ上に置いた状態を示す略線図である。
【図２１】この発明の第９の実施形態においてカメラ付き携帯電話によるＩＤ−１の書き込み方法を説明するための略線図である。
【符号の説明】
【００６２】
１０、２０…タグ、１１…バーコード、１２、２１…ＲＦ発信機、１３、２２、１０２…アンテナ、２３、６１…電池、３０…管理対象物品、４０…着脱可能端子、５１…光学読取装置、５２…ＩＤ−１メモリ、６０…タグ接続装置、８１…スライダ、８２…パイロットランプ、８３…リミットスイッチ、９０…タグ固定用部品、１０１…カメラ付き携帯電話
【図１】
2006190241.tif 000003
【図２】
2006190241.tif 000004
【図３】
2006190241.tif 000005
【図４】
2006190241.tif 000006
【図５】
2006190241.tif 000007
【図６】
2006190241.tif 000008
【図７】
2006190241.tif 000009
【図８】
2006190241.tif 000010
【図９】
2006190241.tif 000011
【図１０】
2006190241.tif 000012
【図１１】
2006190241.tif 000013
【図１２】
2006190241.tif 000014
【図１３】
2006190241.tif 000015
【図１４】
2006190241.tif 000016
【図１５】
2006190241.tif 000017
【図１６】
2006190241.tif 000018
【図１７】
2006190241.tif 000019
【図１８】
2006190241.tif 000020
【図１９】
2006190241.tif 000021
【図２０】
2006190241.tif 000022
【図２１】
2006190241.tif 000023